【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
養殖魚の外側の寄生生物の数を減少させるための装置であって、
前記装置は、内部を有し、前記内部に魚を維持しながら外側の寄生生物が通過することを可能にする穴（３０３）が設けられている中空円柱フィルタ部材（３）を備え、
前記中空円柱フィルタ部材（３）は、入口端における入口（３００）及び出口端における出口（３０１）を有し、
前記入口（３００）及び／又は出口（３０１）の周囲にノズル（１ａ、１ｂ）が設けられ、前記ノズル（１ａ、１ｂ）は、前記中空円柱フィルタの内部の第１の予め定められた点に向かって、空気又は水又は空気と水との混合のような流体を噴出するための、前記入口（３００）及び／又は出口（３０１）の周囲に沿った実質的な環状スリット（１６）を有することを特徴とする、装置。
【請求項２】
前記実質的な環状スリット（１６）は、それぞれがスリット（１６）を有する４つ以上の離散ノズル部材（１３）により形成され、
前記離散ノズル部材（１３）は、前記入口（３００）及び／又は出口（３０１）の周囲に沿って設けられている請求項１に記載の装置。
【請求項３】
前記実質的な環状スリットは、連続的である、請求項１に記載の装置。
【請求項４】
前記中空円柱フィルタ部材（３）を入れ、前記入口（３００）及び出口（３０１）に接続され、実質的に流体密封接続を提供する筐体（５）をさらに備える、請求項１から３のうちのいずれか一項に記載の装置。
【請求項５】
前記筐体（５）中に設けられた排水管（６）をさらに備え、
前記排水管（６）は、前記寄生生物を収容するように構成されている少なくとも１つの開口を有する、請求項４に記載の装置。
【請求項６】
前記ノズル（１ａ、１ｂ）は、前記中空円柱フィルタ部材（３）の軸に対して１０度と６０度の範囲の噴出の角度を規定する、請求項１から５のうちのいずれか一項に記載の装置。
【請求項７】
第１のノズルによって占有されていない前記入口（３００）及び／又は出口（３０１）の周囲に沿った実質的な環状スリット（１６）を有する第２のノズルを備え、前記第２のノズルの実質的な環状スリット（１６）は、前記中空円柱フィルタの第２の予め定められた点に向かって流体を噴出するように設けられている、請求項１から６のうちのいずれか一項に記載の装置。
【請求項８】
前記第２のノズルは、それぞれがスリット（１６）を有する多数の離散ノズル部材（１３）を備え、
前記離散ノズル部材（１３）は、前記第１のノズルによって占有されていない前記入口（３００）及び／又は出口（３０１）の周囲に沿って設けられている、請求項７に記載の装置。
【請求項９】
前記ノズル（２０）は、前記中空円柱フィルタ部材（３）の軸に沿って配置されている２つ以上のレベルで構成されている２つ以上のノズル要素を備える、請求項８に記載の装置。
【請求項１０】
１つのレベルにおけるノズル要素のノズル部材（１３）は、別のレベルにおけるノズル要素のノズル部材（１３）に関してオフセットされている、請求項９に記載の装置。
【請求項１１】
第１及び第２の予め定められた点は、前記中空円柱フィルタの異なる位置に設けられている、請求項７から１０のうちのいずれか一項に記載の装置。
【請求項１２】
前記環状スリット（１６）のうちの少なくとも１つは、０．０１ｍｍ及び２ｍｍの間の幅を有する、請求項１から１１のうちのいずれか一項に記載の装置。
【請求項１３】
前記中空円柱フィルタ部材（３）は、前記周囲の周りに多数の並行に間隔を空けた棒（１０）を備え、空間が前記中空円柱フィルタ部材（３）の前記穴（３０３）を提供するように、前記棒（１０）間に前記空間を提供するように構成されている、請求項１から１２のうちのいずれか一項に記載の装置。
【請求項１４】
前記中空円柱フィルタ部材（３）の前記穴（３０３）は、３０ｍｍまでの最も小さい寸法を有している、請求項１から１３のうちのいずれか一項に記載の装置。
【請求項１５】
魚の外側の寄生生物の数を減少させるための方法であって、
ａ．実質的に前記魚の周囲全体に向かって環状ノズルのスリット（１６）から不均一に噴出される、空気又は水又は空気と水との混合のような流体が前記魚の寄生生物に衝突することと、
ｂ．前記魚から引き離した前記寄生生物を除去することとのステップを備え、
前記噴出される流体は、前記魚の動く方向に関して１０度と６０度の範囲の角度の方向を有し、
前記魚は、ステップａより前に水性環境から取り除かれ、ステップａとｂは、前記魚が前記水性環境に再び入る前に実行される、方法。
【請求項１６】
ステップａにおいて、前記魚に衝突させるために使用される流体は、多数の離散ノズル部材によって形成されたノズルから噴出され、
前記離散ノズル部材はそれぞれスリットを有し、入口及び／又は出口の周囲に沿って設けられる、請求項１５に記載の方法。
【請求項１７】
噴出流体は、空気又は水又は空気と水である、請求項１５又は１６に記載の方法。
【請求項１８】
前記方法は、請求項１から１４のうちのいずれか一項に記載の装置において実行される、請求項１５又は１６に記載の方法。
【請求項１９】
前記流体は、前記環状ノズルのスリット開口において１００ｍ／ｓを上回る速度で噴出される、請求項１５から１７のうちのいずれか一項に記載の方法。
【手続補正２】
【補正対象書類名】明細書
【補正対象項目名】００４６
【補正方法】変更
【補正の内容】
【００４６】
図４は、組み立てられた状態でその相対位置における、図３Ａ中で示した実施形態にしたがうフィルタ部材３と図３Ｂ中で示した実施形態にしたがう２つのノズル２０を示している。フィルタ部材３の各端に、１つのノズル２０が位置付けられている。
以下に、本願出願の当初の特許請求の範囲に記載された発明を付記する。
［１］  養殖魚の外側の寄生生物の数を減少させるための装置であって、
入口及び出口を有する中空円柱フィルタ部材を備え、
前記入口及び／又は出口の周囲にノズルが設けられ、
前記ノズルは、前記中空円柱フィルタの内部に向かって流体を噴出するための、前記入口及び／又は出口の周囲に沿った実質的な環状スリットを備える、装置。
［２］  前記ノズルは、それぞれがスリットを有する多数の離散ノズル部材により形成され、
前記離散ノズル部材は、前記入口及び／又は出口の周囲に沿って設けられている［１］に記載の装置。
［３］  前記離散ノズル部材の数は４つ以上である、［２］に記載の装置。
［４］  前記中空円柱フィルタ部材を入れ、前記入口及び出口に接続され、実質的に流体密封接続を提供する筐体をさらに備える、［１］から［３］のうちのいずれか一項に記載の装置。
［５］  前記ノズルの前記環状スリットは、前記中空円柱フィルタの第１の予め定められた点に向かって流体を噴出する［１］から［４］のうちのいずれか一項に記載の装置。
［６］  第１のノズルによって占有されていない前記入口及び／又は出口の周囲に沿った実質的な環状スリットを有する第２のノズルを備え、前記第２のノズルの実質的な環状スリットは、前記中空円柱フィルタの第２の予め定められた点に向かって流体を噴出するように設けられている、［１］から［５］のうちのいずれか一項に記載の装置。
［７］  前記第２のノズルは、それぞれがスリットを有する多数の離散ノズル部材により形成され、
前記離散ノズル部材は、前記第１のノズルによって占有されていない前記入口及び／又は出口の周囲に沿って設けられている、［６］に記載の装置。
［８］  前記ノズルは、前記中空円柱フィルタ部材の軸に沿って配置されている２つ以上のレベルで構成されている２つ以上のノズル要素を備える、［１］又は［７］に記載の装置。
［９］  １つのレベルにおけるノズル要素のノズル部材は、別のレベルにおけるノズル要素に関してオフセットされている、［８］に記載の装置。
［１０］  第１及び第２の予め定められた点は、前記中空円柱フィルタの異なる位置に設けられている、［６］から［９］のうちのいずれか一項に記載の装置。
［１１］  前記環状スリットのうちの少なくとも１つは、０．０１ｍｍ及び２ｍｍの間である、［１］から［１０］のうちのいずれか一項に記載の装置。
［１２］  前記筐体中に設けられた排水管をさらに備え、
前記排水管は、前記寄生生物を収容するように構成されている少なくとも１つの開口を有する、［１］から［１１］のうちのいずれか一項に記載の装置。
［１３］  前記中空円柱フィルタ部材は、前記周囲の周りに多数の並行に間隔を空けた棒を備える、［１］から［１２］のうちのいずれか一項に記載の装置。
［１４］  魚の外側の寄生生物の数を減少させるための方法であって、
ａ．実質的に前記魚の周囲全体に向かって環状ノズルのスリットから不均一に噴出される流体が前記魚の寄生生物に衝突することと、
ｂ．前記魚から引き離した前記寄生生物を除去することとのステップを備え、
前記噴出される流体は、前記魚の動く方向に関して垂直と並行の間の角度の方向を有する方法。
［１５］  ステップａにおいて、前記魚に衝突させるために使用される流体は、多数の離散ノズル部材によって形成されたノズルから噴出され、
前記離散ノズル部材はそれぞれスリットを有し、入口及び／又は出口の周囲に沿って設けられる、［１４］に記載の方法。
［１６］  噴出流体は空気又は水である、［１４］又は［１５］に記載の方法。
［１７］  前記流体は、前記環状ノズルのスリット開口において１００ｍ／ｓを上回る速度で噴出される、［１４］から［１６］のうちのいずれか一項に記載の方法。
［１８］  前記魚は、ステップａより前に水性環境から取り除かれる、［１４］から［１７］のうちのいずれか一項に記載の方法。